(57)【要約】   【課題】ＬＥＤランプの特性を活用して、造花が恰も生花の如く印象付けられる装置を開発する。  【解決手段】本発明供花装置は、（ａ）造花等を収納可能な空間を備えた縦長の筒体を設け、（ｂ）該筒体の上部にＬＥＤランプを光源とする発光部を形成し、（ｃ）該発光部の下にＬＥＤランプからの光を放散する放射空間を配し、（ｄ）該放射空間に臨んで造花を配した献花部を形成すると共に、上記放射光を受けて発色する造花の色として、ＬＥＤランプの光源色と補色関係を成す色を少なくとも一種類以上配色したことを特徴とする。【選択図】  図２
2012219397.tif 000002
【特許請求の範囲】
【請求項１】
（ａ）造花等を収納可能な空間を備えた縦長の筒体を設け、
（ｂ）該筒体の上部にＬＥＤランプを光源とする発光部を形成し、
（ｃ）該発光部の下にＬＥＤランプからの光を放散する放射空間を配し、
（ｄ）該放射空間に臨んで造花を配した献花部を形成すると共に、上記放射光を受けて発色する造花の色として、ＬＥＤランプの光源色と補色関係を成す色を少なくとも一種類以上配色したことを特徴とする供花装置。
【請求項２】
造花の色として採択した色を花弁に配したことを特徴とする請求項１記載の供花装置。
【請求項３】
筒体の後ろ側に背景となる背景壁を形成し、該背景壁の色に、造花に採択した色と視認性又は誘目性の点で有利となる色を配したことを特徴とする請求項１又は２項記載の供花装置。
【発明の詳細な説明】
【技術分野】
【０００１】
本発明は、葬式、結婚式等の葬祭を主として、その装飾用として用いる供花装置に関し、さらに詳細には、ＬＥＤの光源の特性を活用して、献げた花が造花でありながら看る者に恰も生花としての印象を与えることのできる供花装置に関する。
【背景技術】
【０００２】
従来、葬式、結婚式等の葬祭に用いられる供花として、光の作用を応用したものが幾つか提案されている。
例えば、特許文献１には、光学繊維の一端を造花の花びら、葉、がく等の薄片部材の端縁の近傍に沿って配置し、該光学繊維の他端側を束ね、該他端側に発光装置を設けた発光体が提案されている。
又、特許文献２には、ＬＥＤランプと、このＬＥＤランプを覆う花びらとを有する花部を備えた電飾造花において、前記花びらは光透過性の膜と、この膜に付属させた光散乱材とを有する電飾造花が提案されている。
【０００３】
特許文献１にあっては、薄片部材の端縁に配置された光学繊維が発光し、花弁や葉などの端縁に光りが連なって見える効果を導いている。
又、特許文献２にあっては、花びらの膜厚を変化させることにより花びらの屈折を変化させたり、葉の表面に光散乱材を配置することで、光演出性のある造花を導いている。
【０００４】
しかし、これら提案にあっては、造花を対象とするが、前者では花及び葉の形状に沿って配した光学繊維のスポット的な発光による現象をみるものであり、後者では、光学繊維に代わってＬＥＤランプを用いるが、花弁や葉などの形状に模したランプの光を見るものであって、それらはいずれも花の形態に光の作用を付加することによる面白さを求めるものであって、花そのものの美しさを探求するものではない。
【先行技術文献】
【特許文献】
【０００５】
【特許文献１】特開２００７−７０７６０号公報
【特許文献２】特開２００３−２１０５１３号公報
【発明の概要】
【発明が解決しようとする課題】
【０００６】
そこで本発明は、造花を対象としつつも、あくまで本来の花のもつ美しさを訴求し、ＬＥＤランプの特性を活用して、造花が恰も生花の如く印象付けられる装置を提供せんとするものである。
【課題を解決するための手段】
【０００７】
前記目的を達成するために、本発明供花装置は、（ａ）造花等を収納可能な空間を備えた縦長の筒体を設け、（ｂ）該筒体の上部にＬＥＤランプを光源とする発光部を形成し、（ｃ）該発光部の下にＬＥＤランプからの光を放散する放射空間を配し、（ｄ）該放射空間に臨んで造花を配した献花部を形成すると共に、上記放射光を受けて発色する造花の色として、ＬＥＤランプの光源色と補色関係を成す色を少なくとも一種類以上配色したことを特徴とする。
【０００８】
請求項２に記載の供花装置は、造花の色として採択した色を花弁に配したことを特徴とする。
【０００９】
請求項３記載の供花装置は、筒体の後ろ側に背景となる背景壁を形成し、該背景壁の色に、花弁に採択した色と視認性又は誘目性の点で有利となる色を採択したことを特徴とする。
【発明の効果】
【００１０】
本発明供花装置は、上下が蓋体で覆われた縦長の筒体内に、造花等が収納されており、それが主に葬式、結婚式等の冠婚葬祭の際の花を献上する供花装置として機能する。
【００１１】
その際、筒体上部に設けられた発光部から出た光は、放射空間を経て、下方の造花に放散されるが、該放射空間を隔てて発光部に臨んだ造花の花弁等が放射光を受けて、確実に受光され、より広い受光面積が確保される。即ち、放射空間により、発光部から放散された光が造花の花弁等に当たり、看る者にとって適切な角度で照射される関係となると共に、より広い受光面積の確保により彩度が高くなる。
【００１２】
このとき、造花の色を、少なくとも一色以上をＬＥＤランプの光源の色と補色関係にある色とすると、光源のうち補色関係にある一色が選択的に吸収され、それ以外の色が反射光として放射され、即ち、全体として白色光を構成するＬＥＤの光源のうち、補色関係にある一色が選択的に吸収されることとなり、残された光が反射光となって他の色より強調された色として発色するものとなる。
【００１３】
上記採択された色を花弁に配すると、花の主体となる花弁が強調され、生花とイメージされる確率が高まるものとなる。
【００１４】
造花の色に膨張色又は進出色を配すると、看る者にとって、より膨らんで又はより近づいた色として見えるものとなる。
【００１５】
背景壁を形成し、その背景色を、造花の色との関係で視認性又は誘目性の点で有利な色を採択すると、より見つけ易い色、又は、心理的にも注意を喚起することのできる色となる。
【図面の簡単な説明】
【００１６】
【図１】本発明装置全体の正面図。
【図２】本発明装置全体の断面図。
【図３】献花部の一部拡大図。
【００１７】
本発明供花装置は、造花等を収納する筒体１と、LEDランプを備えた発光部２と、筒体上部を占める空間層部３と、筒体内に収納する献花部４と、筒体の上下を覆う蓋部５と、筒体の上部に設ける名札部６と、筒体を支える脚部７とから成る。
【００１８】
筒体１は、造花を収納して供花としての役割を果たすと共に、本発明にあっては、一定の演出効果を導くステージの役割を果たすものである。
先ず、後述する造花等を収納可能な容積を備えた縦長の筒体とし、具体的には、直径２００〜４００ｍｍ程度の円筒体を指すが、円筒に限らず六角形、正方形、長方形、三角形等の角形筒体でも良い。
その長さは、LEDランプの発光特性を考慮して、５００〜１５００ｍｍ程度とするのが好ましく、例えば１０００ｍｍとする。
即ち、ＬＥＤランプは、光を直下に集中することがき、後述の発光部２から献花部４に向けて筒体１内に光りを集中させて、上記長さとする。
その素材は、造花が透視する部分には透明体を配するが、その他の一部に半透明又は不透明の素材を配しても良い。透明体素材には、軽量性と耐候性に優れたアクリル樹脂（ポリメタクリル酸メチル樹脂）が好ましいが、ガラスでも良い。
【００１９】
発光部２は、上記筒体１の上部にLEDランプ２aを配して構成し、該LEDランプ２aには、（a）青色のLEDと蛍光体を組み合わせ、青色LEDが発光した青い光を黄色の蛍光体に当てて白色光とするタイプと、（ｂ）赤色LEDと緑色LEDと青色LEDの三色のLEDを組み合わせて白色光とするタイプとがある。
（a）タイプのものは、発光効率が良く、（ｂ）タイプのものは、蛍光体を使用しないので光のロスが少ないメリットがある。
本実施態様では、発光効率が良いことから、高輝度が期待できる（a）タイプで具体例を構成した。ＬＥＤ数７６個、消費電力５ｗ、光速６００ｌｍ、色温度５２００Ｋのものを使用した。
該LEDランプ２aは、そのまま露出させて外部から観察可能としても良いが、図示の如く、遮光壁２ｂを配してランプの存在を隠蔽すると、幻想的な演出効果が高まる。
【００２０】
空間層部３は、光の演出効果を導くための補助的役割を果たすもので、後述の献花部４を配する際に、上記発光部２の下に、発光される光を放散させる為の放射空間３ａを形成するものとする。
従って、該空間層部３の形成は、LEDランプ２aからの光が放散される一定容積の空間を形成するものとするが、そのパターンは一つに限定されず、具体的には、図示の如く、発光部２から約１５〜３０ｍｍ程度の長さで空間を確保する。
【００２１】
献花部４は、献花としての荘厳さやシットリ感と、一方である程度の華やかさを要するもので、本発明にあっては、その演出効果の主体をなすもので、光源としてのLED発光との関係から特定機能を発揮させ、看る者に造花が恰も生花とイメージされる構成とする。
先ず、献花部４の中心には造花４ａを配し、その他に盛り籠等４ｂを配する。
造花４ａは、例えば針金をクローラルテープで巻いて茎４ａ２を形成し、その上にシルク、ナイロン等の布で花弁４ａ１を形成し、葉４ａ３を花弁４ａ１と同様にシルク、ナイロン等で形成する。
【００２２】
そして、該造花４ａの構成にあって、下記のイ）色の採択、ロ）その採択を配する花弁、茎、葉の選択、ハ）背景色等を決定する。
イ）色の採択
先ず、色の採択にあっては、該放射空間に臨んで、放射光を受けて発色する造花４ａの色として、ＬＥＤランプの光源色と補色関係を成す色を少なくとも一種類以上配色したものとする。
花の種族が複数ある場合には、その中から選んで配色するものとするが、看る者により強い印象を与えることのできる花とするのが望ましい。
図示の本実施態様にあっては、主体をオンシジウムとしてこれに黄色を付し、他の花としてコチョーランに紫色、ユリに白色を付した。
上述LEDランプ２aにおいて、青色LEDに黄色の蛍光体を組み合わせた(a)タイプのものは、青色と補色関係にある黄色と、逆に黄色と補色関係にある青色の２色が候補対象となる。赤色LEDと緑色LEDと青色LEDの三色のLEDを組み合わせた（ｂ）タイプのものでは、緑色、赤色、黄色がそれぞれ候補対象となる。
本実施態様にあっては、（a）タイプを用いたので、黄色と青色を候補とした。
【００２３】
更に、色の採択にあっては、色には、色の膨張色と収縮色、進出色と後退色、視認性、誘目性等の性格があり、それらを花弁、葉との区別、又背景色等との関係で活用する。
ロ）花弁、茎、葉の別
これらの色を、花弁４a１に配するか、茎４ａ２に配するか、葉４ａ３に配するかは、そのときの献花部４をどう構成するかによって異なる。本発明にあっては、造花を生花にイメージさせることが目的であるから、その生花とイメージする主体は花の中心である花弁にあると考え、造花４aのうち花弁４a１に上記ＬＥＤランプの光源色と補色関係を成す色を配した。
【００２４】
更に、その採択した造花４ａの色に、暖色系の膨張色及び進出色と寒色系の収縮色及び後退色がある場合には、膨張色又は進出色を採択し、本実施態様にあっては、上記黄色と青色のうち、黄色は膨張及び進出色で青色は収縮及び後退色であることから、主体となる種族の造花４ａの花弁４ａ１に黄色を採択し、青色を他の種族の花弁４ａ１、又は、茎４ａ２、葉４ａ３等に配した。
【００２５】
ハ）背景色
同じ色であっても、その背景色を違えると、色の視認性又は誘目性が異なってくる。
そこで、本発明にあっては、造花４ａの後ろ側に背景となる背景壁４ｃを形成し、上記造花４ａに採択した色との関係で、視認性又は誘目性において有利な色を採択する。
視認性は色の見つけやすさであり、誘目性は種々の色のなかから心理的に注意を促す度合いであり、上記の如く、本実施態様にあって造花４ａに黄色を配した場合、視認性及び誘目性のいずれにあっても有利な色は、黒色である。
【００２６】
蓋部５は、筒体の上下を覆うもので、上蓋５aと下蓋５ｂとから成る。
上蓋５ａは、LEDランプを吊り下げる基体ともなり、又、名札部６を立設する基体でもある。下蓋５ｂは、脚部７の基体となる。
例えば、アルミニウムで形成する。
【００２７】
名札部６は、必要に応じて設けるもので、献上人の氏名、名称等を表示した名札を挿脱可能に形成する。又、脚部７は、上記筒体１を支えるもので、上記蓋部５と同様アルミニウム等で形成する。
【００２８】
次に、本発明の作用効果について説明する。
本発明供花装置は、上下が蓋部５で覆われた縦長の筒体１内に、上部に発光部２とその下に空間層部３及び献花部４とが形成されており、それらが協働して葬式、結婚式等の際の花を献上する供花装置として機能する。
その際、本発明装置にあっては、上述の如く、献げた花が造花でありながら、看る者に恰も生花としての印象を与えることができるものとなる。その理由は、確定されるものはないが、以下の如くに推察される。
【００２９】
先ず、筒体１上部に設けられた発光部２から出た光は、放射空間３ａを経て、下方の献花部４に放散されるが、該放射空間３ａを隔てて発光部２に臨んだ花弁４ａ１等が放射光を受けて、確実に受光され、より広い受光面積が確保される。即ち、放射空間３ａにより、発光部２からの放射光が造花４ａの花弁４a１等に、看る者にとって適切な角度で照射される関係となると共に、より広い受光面積の確保により彩度が高くなる。
【００３０】
このとき、造花４ａの色を、少なくとも一色以上をＬＥＤランプ２aの光源の色と補色関係にある色とすると、その光源のうち補色関係にある一色が選択的に吸収され、それ以外の色が反射光として放射され、即ち、全体として白色光を構成するＬＥＤランプ光源のうち、補色関係にある一色が選択的に吸収されることとなり、残された光が反射光となって他の色より強調された色として発色するものとなる。
例えば、光源色を、青色ダイオードと黄色の蛍光体で構成された上記（a）タイプのＬＥＤランプ２aでは、黄色又は青色が吸収又は反射光に該当するものとなり、そこで、造花４ａの色として黄色を採択すれば、光源としての青色が吸収され、残りの光が反射光となる。すると、選択的吸収がなされた青色と補色関係にある黄色が反射光となり、相対的に強調された色として発色することとなる。
このとき、上記採択された色を造花４ａのうちの花弁４ａ１に配すると、看る者が花としてイメージする主体は花弁にあると考えられるから、造花を生花とイメージする確率が高まるものとなる。
【００３１】
そして、その花のうち造花４ａを黄色とすれば、黄色は膨張色及び進出色であることから、看る者にとって、他の色と比較して、より膨らんで及びより近づいた色として見えるものとなる。
【００３２】
更に、造花４ａの後ろ側に背景となる背景壁４ｃを形成し、上記花弁４ａ１に採択した色との関係で、視認性又は誘目性等の点で有利な色を採択すると、他の色より見つけ易い色となり、又は、心理的に注意を喚起する色となる。本例にあっては、花弁４ａ１に黄色を採択すると、黒色が視認性及び誘目性のいずれにあっても有利な効果をもたらすものとなる。
斯かる採択した色の膨張・進出性、及び背景色との関係から生まれる視認性や誘目性は、看る者にとって上記造花を恰も生花としてイメージする効果を高めることができる。
【００３３】
ＬＥＤランプ２ａを備えた発光部２は、白熱光や蛍光灯と比較して偏光性が高く、筒体１下方に向けた光りが遠方まで放射されるので、筒体１内に収容された造花４ａの下方の位置のもの迄効率良く照射することができる。届いた光は、筒体１内部に形成された献花部４等を浮き上がらせる。
【００３４】
上記ＬＥＤランプによる見え方を、白熱球、蛍光灯と比較して、色紙で試験したところ、下記の如き結果を得た。
試験方法：各色の色紙を並べ、そこに白熱球（６０ｗ）、蛍光灯（６０ｗ）、ＬＥＤランプ（上記実施態様と同一）の順で光りを当て、それをカメラで撮影し、見え方を目視により観察した。
【表１】
2012219397.tif 000003
この結果、ＬＥＤランプによる色は、明瞭で、特に黄色と青色にあっては、白熱球、蛍光灯と比較して、あざやかな色或いは濃い色として観察された。
【００３５】
上記造花４ａに実施検分のテストを試みたところ、看た人の殆どに、「これは生花？」と錯覚させる現象が起こった。これは、上述の如く、筒体１内に形成される発光部２及び空間層部３及び献花部４等の構成がＬＥＤランプを主体として互いが協働して作用し、献げた花が造花でありながら、恰も生花としての印象を看る者に与えることができるものと推察される。
【００３６】
又、ＬＥＤランプ２ａの発光部２は、放射光のなかに紫外線の占める割合が極めて少なく、種々の染料を造花４ａの色として使用しても、退色、変色を起こす割合が低く、長期間の使用に耐えることができる。
更に、LEDランプ２ａは、白熱光や蛍光灯と比較して発光熱量が非常に少なく、筒体１内空間を高温にすることがないので、特別な冷却装置や送風装置を必要としないことも有利な点である。
【００３７】
１    筒体
２    発光部
２ａ  LEDランプ
２ｂ  遮光壁
３    空間層部
３ａ  放射空間
４    献花部
４ａ  造花
４a１  花弁
４ａ2  茎
４ａ3  葉
４ｂ  籠
４ｃ  背景壁
５    蓋部
５ａ  上蓋
５ｂ  下蓋
６    名札部
７    脚部
【図１】
2012219397.tif 000004
【図２】
2012219397.tif 000005
【図３】
2012219397.tif 000006
【手続補正書】
【提出日】平成23年9月27日(2011.9.27)
【手続補正１】
【補正対象書類名】明細書
【補正対象項目名】００２０
【補正方法】変更
【補正の内容】
【００２０】
空間層部３は、光の演出効果を導くための補助的役割を果たすもので、後述の献花部４を配する際に、上記発光部２の下に、発光される光を放散させる為の放射空間３ａを形成するものとする。
従って、該空間層部３の形成は、LEDランプ２aからの光が放散される一定容積の空間を形成するものとするが、そのパターンは一つに限定されず、具体的には、図示の如く、発光部２から約１５０〜３００ｍｍ程度の長さで空間を確保する。